(57)【要約】【課題】公衆交換電話ネットワークにおいて、ネットワーク装置が時間同期化されないためにもたらされる通信の異常を解決する時間同期化方法を提供する。【解決手段】メイン・トランシーバー・モジュールがローカル交換機から送信する指令を受信したかどうかを判断し、ローカル交換機から送信する指令を受信すると、バック・アップ・スターティング・モジュールにメイン・カウンティング・モジュール中の時間情報を送信し、バック・アップ・スターティング・モジュールは時間情報に基づいてバック・アップ・カウンティング・モジュールをスタート・アップして計時し、計時が一定の時間を越えると、バック・アップ・トランシーバー・モジュールは、管理システムから送信する取り替え情報を受信したかどうかを判断し、取り替え情報を受信すると、ローカル交換機に指令の確認情報を送信する。【選択図】図３
2007300634.tif 000002
【特許請求の範囲】
【請求項１】
ローカル交換機に接続されるネットワーク装置であって、
前記ネットワーク装置は、メイン・インターフェース・システムと、バック・アップ・インターフェース・システム及び管理システムを備え、
前記メイン・インターフェース・システムは、前記ローカル交換機から送信する指令を受信し、前記メイン・インターフェース・システムの中の時間情報をバック・アップ・インターフェース・システムに送信するメイン・トランシーバー・モジュールを備え、
前記バック・アップ・インターフェース・システムは、前記管理システムから送信する取り替え情報を受信したかどうかを判断し、前記ローカル交換機に前記指令の確認情報を送信するバック・アップ・トランシーバー・モジュールと、前記メイン・トランシーバー・モジュールが前記ローカル交換機から送信する指令を受信してから前記メイン・トランシーバー・モジュールが前記ローカル交換機に前記指令の確認情報を送信するまでの時間を記録するバック・アップ・カウンティング・モジュールと、前記時間情報に基づいて、前記バック・アップ・カウンティング・モジュールをスタート・アップして計時するバック・アップ・スターティング・モジュールとを備え、
前記管理システムは、故障が発生したメイン・インターフェース・システムを、バック・アップ・インターフェース・システムに取り替え、且つ前記バック・アップ・インターフェース・システムに取り替え情報を送信することを特徴とするネットワーク装置。
【請求項２】
前記メイン・インターフェース・システム及び前記バック・アップ・インターフェース・システムは、全てＶ５協定に符合するとことを特徴とする請求項１に記載のネットワーク装置。
【請求項３】
前記ローカル交換機から送信する指令は、リンギング指令及び極性反転指令を備えることを特徴とする請求項１に記載のネットワーク装置。
【請求項４】
前記メイン・インターフェース・システムは、メイン・カウンティング・モジュールをさらに備え、前記メイン・トランシーバー・モジュールが前記ローカル交換機から送信する指令を受信してから前記メイン・トランシーバー・モジュールが前記ローカル交換機に前記指令の確認情報を送信するまでの時間を記録することに用いられることを特徴とする請求項１に記載のネットワーク装置。
【請求項５】
前記メイン・インターフェース・システムは、メイン・スターティング・モジュールをさらに備え、前記メイン・トランシーバー・モジュールが前記ローカル交換機から送信する指令を受信した時、前記メイン・カウンティング・モジュールをスタート・アップして計時することに用いられることを特徴とする請求項４に記載のネットワーク装置。
【請求項６】
ユーザー端末とローカル交換機に接続されるネットワーク装置に適用される時間同期化方法であって、
管理システムと、メイン・トランシーバー・モジュールと、メイン・スターティング・モジュールと、メイン・カウンティング・モジュールと、バック・アップ・トランシーバー・モジュールと、バック・アップ・スターティング・モジュールと、バック・アップ・カウンティング・モジュールを提供するステップと、
前記メイン・トランシーバー・モジュールが前記ローカル交換機から送信する指令を受信するステップと、
前記メイン・スターティング・モジュールがメイン・カウンティング・モジュールをスタート・アップして計時するステップと、
前記メイン・トランシーバー・モジュールがメイン・カウンティング・モジュールの中の時間情報をバック・アップ・スターティング・モジュールに送信するステップと、
前記バック・アップ・スターティング・モジュールが前記時間情報に基づいて、前記バック・アップ・カウンティング・モジュールをスタート・アップして計時するステップと、
前記バック・アップ・カウンティング・モジュールの計時が一定の時間を越えると、前記バック・アップ・トランシーバー・モジュールは、前記管理システムから送信する取り替え情報を受信したかどうかを判断するステップと、
もし前記バック・アップ・トランシーバー・モジュールが前記取り替え情報を受信すると、前記バック・アップ・トランシーバー・モジュールが前記ローカル交換機に前記指令の確認情報を送信するステップと、
を備えることを特徴とする時間同期化方法。
【請求項７】
前記管理システムは、前記メイン・インターフェース・システムに故障が発生した時、故障が発生したメイン・インターフェース・システムを、バック・アップ・インターフェース・システムに取り替え、且つ前記バック・アップ・インターフェース・システムに取り替え情報を送信することを特徴とする請求項６に記載の時間同期化方法。
【請求項８】
前記メイン・カウンティング・モジュール及び前記バック・アップ・カウンティング・モジュールは、同期して計時することを特徴とする請求項６に記載の時間同期化方法。
【請求項９】
前記バック・アップ・カウンティング・モジュールの計時における一定の時間は、５秒であることを特徴とする請求項６に記載の時間同期化方法。
【請求項１０】
前記バック・アップ・カウンティング・モジュールの計時が一定の時間を越える時、もし前記バック・アップ・トランシーバー・モジュールが前記管理システムから送信する取り替え情報を受信しなければ、前記メイン・トランシーバー・モジュールが前記ローカル交換機に前記指令の確認情報を送信することを特徴とする請求項６に記載の時間同期化方法。
【発明の詳細な説明】
【技術分野】
【０００１】
本発明は、ネットワーク装置及び其の管理方法に関するものであり、特にネットワーク装置及び其の時間同期化方法に関するものである。
【背景技術】
【０００２】
米国ベル通信研究所（Ｂｅｌｌｃｏｒｅ）は、８０年代末期にＶ５インターフェースの概念を提出し、且つ９０年代初期にＴＲ３０３と称する北アメリカ企業技術標準を制定した。ＴＲ３０３は、Ｖ５インターフェースの前身であって、それは最多で２８個のＴ１（１５４４ｋｂｉｔ/ｓ）リンクを提供し、ローカル交換機（Ｌｏｃａｌ  Ｅｘｃｈａｎｇｅ，ＬＥ）は、ＴＲ３０３技術標準が提供する埋め込み操作チャネルによって、アクセス・ネットワーク（Ａｃｃｅｓｓ  Ｎｅｔｗｏｒｋ，ＡＮ）設備を管理する。ヨーロッパ電気通信標準化協会（Ｅｕｒｏｐｅａｎ  Ｔｅｌｅｃｏｍｍｕｎｉｃａｔｉｏｎ  Ｓｔａｎｄａｒｄｓ  Ｉｎｓｔｉｔｕｔｅ，ＥＴＳＩ）は、１９９３年にＴＲ３０３技術標準に基づいてＶ５技術標準を発布した。Ｖ５インターフェースを有するアクセス・ネットワーク装置の管理は、配置管理と、故障管理及び性能管理などを備える。
【０００３】
公衆交換電話ネットワークにおいて、ユーザー端末は、アクセス・ネットワーク装置を介してローカル交換機に接続する。前記アクセス・ネットワーク装置は、メインＶ５インターフェース・システムと、バック・アップＶ５インターフェース・システム及び管理システムを備える。前記Ｖ５メイン・インターフェース・システムに故障が発生しなかった時、ローカル交換機は、Ｖ５インターフェースによって、アクセス・ネットワーク装置を管理することができる。前記ローカル交換機がメイン・インターフェース・システムにリンギング及び極性反転などの指令を出す時、もし前記メイン・インターフェース・システムに故障が発生すると、管理システムによって、故障が発生したメイン・インターフェース・システムを取り替えてから、バック・アップ・インターフェース・システムは、前記メイン・インターフェース・システムの計時結果に基づいて、前記ローカル交換機に確認情報を送信することができなく、即ち前記バック・アップ・インターフェース・システムとメイン・インターフェース・システムが時間同期化されずに、従って公衆交換電話ネットワークに通信の異常が発生する。
【発明の開示】
【発明が解決しようとする課題】
【０００４】
本発明の第一の目的は、前述の問題を解決し、公衆交換電話ネットワークにおいて、ネットワーク装置が時間同期化されないためにもたらされる通信の異常を解決することができるネットワーク装置を提供することである。
【０００５】
本発明の第二の目的は、前述の問題を解決し、公衆交換電話ネットワークにおいて、ネットワーク装置が時間同期化されないためにもたらされる通信の異常を解決することができる時間同期化方法を提供することである。
【課題を解決するための手段】
【０００６】
前記第一の目的を達成するため、本発明に係るネットワーク装置は、ローカル交換機に接続され、前記ネットワーク装置は、メイン・インターフェース・システムと、バック・アップ・インターフェース・システム及び管理システムを備える。前記メイン・インターフェース・システムは、メイン・トランシーバー・モジュールを備え、前記ローカル交換機から送信する指令を受信し、前記メイン・インターフェース・システムの中の時間情報をバック・アップ・インターフェース・システムに送信することに用いられる。前記バック・アップ・インターフェース・システムは、バック・アップ・トランシーバー・モジュールと、バック・アップ・カウンティング・モジュール及びバック・アップ・スターティング・モジュールを備える。前記バック・アップ・トランシーバー・モジュールは、前記管理システムから送信する取り替え情報を受信したかどうかを判断し、前記ローカル交換機に前記指令の確認情報を送信することに用いられる。前記バック・アップ・カウンティング・モジュールは、前記メイン・トランシーバー・モジュールが前記ローカル交換機から送信する指令を受信してから前記メイン・トランシーバー・モジュールが前記ローカル交換機に前記指令の確認情報を送信するまでの時間を記録することに用いられる。前記バック・アップ・スターティング・モジュールは、前記時間情報に基づいて、前記バック・アップ・カウンティング・モジュールをスタート・アップして計時することに用いられる。前記管理システムは、故障が発生したメイン・インターフェース・システムを、バック・アップ・インターフェース・システムに取り替え、且つ前記バック・アップ・インターフェース・システムに取り替え情報を送信することに用いられる。
【０００７】
前記第二の目的を達成するため、本発明に係る時間同期化方法は、ユーザー端末及びローカル交換機に接続するネットワーク装置に適用され、前記時間同期化方法は、管理システムと、メイン・トランシーバー・モジュールと、メイン・スターティング・モジュールと、メイン・カウンティング・モジュールと、バック・アップ・トランシーバー・モジュールと、バック・アップ・スターティング・モジュールと、バック・アップ・カウンティング・モジュールを提供するステップと、前記メイン・トランシーバー・モジュールが前記ローカル交換機から送信する指令を受信してから、前記メイン・スターティング・モジュールがメイン・カウンティング・モジュールをスタート・アップして計時するステップと、前記メイン・トランシーバー・モジュールがメイン・カウンティング・モジュールの中の時間情報をバック・アップ・スターティング・モジュールに送信するステップと、前記バック・アップ・スターティング・モジュールが前記時間情報に基づいて、前記バック・アップ・カウンティング・モジュールをスタート・アップして計時するステップと、前記バック・アップ・カウンティング・モジュールの計時が一定の時間を越えると、前記バック・アップ・トランシーバー・モジュールは、前記管理システムから送信する取り替え情報を受信したかどうかを判断するステップと、もし前記バック・アップ・トランシーバー・モジュールが前記取り替え情報を受信すると、前記バック・アップ・トランシーバー・モジュールが前記ローカル交換機に前記指令の確認情報を送信するステップとを備える。
【発明の効果】
【０００８】
本発明のネットワーク装置及び其の時間同期化方法は、バック・アップ・カウンティング・モジュール、バック・アップ・スターティング・モジュール、メイン・スターティング・モジュール、メイン・カウンティング・モジュールによって、同期して計時することができ、メイン・インターフェース・システムに故障が発生した時、ローカル交換機に確認情報を送信することができない現象を防止し、従って通信ネットワークが正常に作動することを確保することができる。
【発明を実施するための最良の形態】
【０００９】
図１は、本発明の実施形態のネットワーク装置２０の適用環境を示す図である。ネットワーク装置２０は、ユーザー端末１０及びローカル交換機３０に接続され、前記ローカル交換機３０は、Ｖ５インターフェースによって、前記ネットワーク装置２０を管理することができる。本実施形態において、前記ユーザー端末１０は、電話機であることができ、前記ネットワーク装置２０は、アクセス・ネットワーク（Ａｃｃｅｓｓ  Ｎｅｔｗｏｒｋ，ＡＮ）設備であることができる。
【００１０】
図２は、本発明の実施形態のネットワーク装置２０の構成を示すブロック図である。ネットワーク装置２０は、メイン・インターフェース・システム２２と、バック・アップ・インターフェース・システム２４及び管理システム２６と、を備える。
【００１１】
前記メイン・インターフェース・システム２２は、メイン・トランシーバー・モジュール２２０と、メイン・スターティング・モジュールと２２２およびメイン・カウンティング・モジュール２２４と、を備える。
【００１２】
前記メイン・トランシーバー・モジュール２２０は、前記ローカル交換機３０から送信する指令を受信し、前記メイン・インターフェース・システム２２の中の時間情報をバック・アップ・インターフェース・システム２４に送信する。
【００１３】
前記メイン・カウンティング・モジュール２２４は、前記メイン・トランシーバー・モジュール２２０が前記ローカル交換機３０から送信する指令を受信してから前記メイン・トランシーバー・モジュール２２０が前記ローカル交換機３０に前記指令の確認情報を送信するまでの時間を記録する。本実施形態において、前記メイン・トランシーバー・モジュール２２０が前記ローカル交換機３０から送信する指令を受信してから前記メイン・トランシーバー・モジュール２２０が前記ローカル交換機３０に前記指令の確認情報を送信するまでの時間間隔は、５秒より大きくなってはならない。
【００１４】
前記メイン・スターティング・モジュールと２２２は、前記メイン・トランシーバー・モジュール２２０が前記ローカル交換機３０から送信する指令を受信した時、前記メイン・カウンティング・モジュール２２４をスタート・アップして計時する。
【００１５】
前記バック・アップ・インターフェース・システム２４は、バック・アップ・トランシーバー・モジュール２４０と、バック・アップ・カウンティング・モジュール２４２及びバック・アップ・スターティング・モジュール２４４と、を備える。
【００１６】
前記バック・アップ・トランシーバー・モジュール２４０は、前記管理システム２６から送信する取り替え情報を受信したかどうかを判断し、前記ローカル交換機３０に前記指令の確認情報を送信する。
【００１７】
前記バック・アップ・カウンティング・モジュール２４２は、前記メイン・トランシーバー・モジュール２２０が前記ローカル交換機３０から送信する前記指令を受信してから前記メイン・トランシーバー・モジュール２２０が前記ローカル交換機３０に前記指令の確認情報を送信するまでの時間を記録する。
【００１８】
前記バック・アップ・スターティング・モジュール２４４は、前記時間情報に基づいて、前記バック・アップ・カウンティング・モジュール２４２をスタート・アップして計時する。
【００１９】
前記管理システム２６は、故障が発生したメイン・インターフェース・システム２２を、バック・アップ・インターフェース・システム２４に取り替え、且つ前記バック・アップ・インターフェース・システム２４に取り替え情報を送信する。
【００２０】
本実施形態において、通信が正常である場合、ただ前記メイン・インターフェース・システム２２が作動状態に処される。前記メイン・インターフェース・システム２２に故障が発生した時、前記管理システム２６は、故障が発生したメイン・インターフェース・システム２２を、バック・アップ・インターフェース・システム２４に取り替え、其の時、前記バック・アップ・インターフェース・システム２４がやっと作動状態に処される。
【００２１】
図３は、本発明の実施形態の時間同期化方法を示すフローチャートである。
【００２２】
本実施形態において、管理システム２６は、時々前記メイン・インターフェース・システム２２の作動状況を探測する。もしソフトウェア又はハードウェアに故障が発生するため、前記メイン・インターフェース・システム２２が作動することができない時、前記管理システム２６は、故障が発生したメイン・インターフェース・システム２２を、バック・アップ・インターフェース・システム２４に取り替え、且つバック・アップ・トランシーバー・モジュール２４０に取り替え情報を送信する。
【００２３】
ステップＳ３００において、ネットワーク装置２０は、ウェイティング状態に処される。
【００２４】
ステップＳ３０２において、メイン・トランシーバー・モジュール２２０は、ローカル交換機３０から送信する指令を受信する。
【００２５】
本実施形態において、前記ローカル交換機３０から送信する指令は、リンギング指令及び極性反転指令を備える。もしユーザーとユーザー端末１０との間に連接を建てると、前記ローカル交換機３０は、前記メイン・トランシーバー・モジュール２２０によって、前記ユーザー端末１０にリンギング指令を出して、コーリング・バーテイ（ｃａｌｌｉｎｇ  ｐａｒｔｙ）とユーザー端末１０の通信連接を建てる。前記通信連接を建ててから、前記メイン・トランシーバー・モジュール２２０によって、前記ユーザー端末１０に極性反転指令を出して、前記コーリング・バーテイとユーザー端末１０との間の通話時間を計算し始める。
【００２６】
ステップＳ３０４において、メイン・スターティング・モジュール２２２は、メイン・カウンティング・モジュール２２４をスタート・アップして計時するとともに、前記メイン・トランシーバー・モジュール２２０は、バック・アップ・スターティング・モジュール２４４に前記メイン・カウンティング・モジュール２２４の中の時間情報を送信する。
【００２７】
ステップＳ３０６において、前記バック・アップ・スターティング・モジュール２４４は、前記時間情報に基づいて、バック・アップ・カウンティング・モジュール２４２をスタート・アップして計時する。
【００２８】
ステップＳ３０８において、前記バック・アップ・カウンティング・モジュール２４２の計時が一定の時間を越えると、前記バック・アップ・トランシーバー・モジュール２４０は、前記管理システム２６から送信する取り替え情報を受信したかどうかを判断する。もし前記バック・アップ・トランシーバー・モジュール２４０が前記管理システム２６から送信する取り替え情報を受信すると、ステップＳ３１０に進み、前記バック・アップ・トランシーバー・モジュール２４０は、ローカル交換機３０に前記指令の確認情報を送信する。もし前記バック・アップ・トランシーバー・モジュール２４０が前記管理システム２６から送信する取り替え情報を受信しなければ、ステップＳ３１２に進み、前記メイン・トランシーバー・モジュール２２０は、前記ローカル交換機３０に前記指令の確認情報を送信する。
【００２９】
本発明の実施形態のネットワーク装置２０及び其の時間同期化方法は、バック・アップ・カウンティング・モジュール２４２、バック・アップ・スターティング・モジュール２４４、メイン・スターティング・モジュール２２２、メイン・カウンティング・モジュール２２４によって、同期して計時することができ、メイン・インターフェース・システム２２に故障が発生した時、ローカル交換機３０に確認情報を送信することができない現象を防止し、従って通信ネットワークが正常に作動することを確保することができる。
【図面の簡単な説明】
【００３０】
【図１】本発明の実施形態のネットワーク装置の適用環境を示す図である。
【図２】本発明の実施形態のネットワーク装置の構成を示すブロック図である。
【図３】本発明の実施形態の時間同期化方法を示すフローチャートである。
【符号の説明】
【００３１】
１０  ユーザー端末
２０  ネットワーク装置
２２  メイン・インターフェース・システム
２４  バック・アップ・インターフェース・システム
２６  管理システム
３０  ローカル交換機
２２０  メイン・トランシーバー・モジュール
２２２  メイン・スターティング・モジュール
２２４  メイン・カウンティング・モジュール
２４０  バック・アップ・トランシーバー・モジュール
２４２  バック・アップ・カウンティング・モジュール
２４４  バック・アップ・スターティング・モジュール
【図１】
2007300634.tif 000003
【図２】
2007300634.tif 000004
【図３】
2007300634.tif 000005